(57)【要約】【課題】蓋体取り付け用のベースプレートが不要で、且つベースプレートに蓋体を係合させる組み立て作業も不要となり、ドアースコープの取り付け部において室外側から故意に覗こうとしても内部が見えないようにするドアースコープ用蓋体を安価に提供する。【解決手段】鉄などの磁性金属から作られた室内側ドアー板２と鉄などの磁性金属から作られた室外側ドアー板３とを備えてなるダブルドアー４を厚み方向に貫通するようにダブルドアー４に取り付けられたドアースコープ１の室内側に向く一端の覗き孔５を覆うドアースコープ用カバーであって、カバー体７は鉄などの磁性金属から作られ、胴部７ａと、この胴部７ａの軸芯方向一端を閉じる板部７ｂとを備え、カバー体７の内部には胴部７ａの軸芯方向一端を閉じる板部７ｂに当接するようにマグネット８を設けた。【選択図】図２
0003152243.tif 000002
【実用新案登録請求の範囲】
【請求項１】
鉄などの磁性金属から作られた室内側ドアー板と鉄などの磁性金属から作られた室外側ドアー板とを備えてなるダブルドアーを厚み方向に貫通するようにダブルドアーに取り付けられたドアースコープの室内側に向く一端の覗き孔を覆うドアースコープ用カバーであって、カバー体は不透明な材料で作られ、筒状の胴部と、この胴部の軸芯方向一端を閉じる板部とを備え、このカバー体にマグネットを備えてカバー体の軸芯方向他端側先端に磁力を発生させるように構成したことを特徴とするドアースコープ用カバー。
【請求項２】
カバー体は鉄などの磁性金属から作られ、カバー体の内部には胴部の軸芯方向一端を閉じる板部に当接するようにマグネットが設けられていることを特徴とする請求項１記載のドアースコープ用カバー。
【請求項３】
カバー体の胴部の軸芯方向他端側先端にはリング状のマグネットを接着して取り付けていることを特徴とする請求項１記載のドアースコープ用カバー。
【請求項４】
鉄などの磁性金属から作られた室内側ドアー板と鉄などの磁性金属から作られた室外側ドアー板とを備えてなるダブルドアーを厚み方向に貫通するようにダブルドアーに取り付けられたドアースコープの室内側に向く一端の覗き孔を覆うドアースコープ用カバーであって、カバー体は不透明な材料で作られ、一方の面の一箇所に凹部が形成され、一方の面の他の箇所にマグネットが装着されていることを特徴とするドアースコープ用カバー。
【請求項５】
鉄などの磁性金属から作られた室内側ドアー板と鉄などの磁性金属から作られた室外側ドアー板とを備えてなるダブルドアーを厚み方向に貫通するようにダブルドアーに取り付けられたドアースコープの室内側に向く一端の覗き孔を塞ぐドアースコープ用カバーであって、カバー体は不透明な材料で作られ、一方の面の一箇所にカバー板部が形成され、一方の面の他の箇所にマグネットが装着されていることを特徴とするドアースコープ用カバー。
【考案の詳細な説明】
【技術分野】
【０００１】
本考案は、マンションなどの集合住宅の鉄などの磁性金属からなる扉に取り付けられドアースコープの付属品として設けられるドアースコープ用カバーに関するものである。
【背景技術】
【０００２】
従来のドアーの外側からドアースコープを故意に覗こうとしても内部が見えないようしたものとして、例えば特許文献１に開示されているような、室内側ドアー板と室外側ドアー板とを備えてなるダブルドアーの室内側ドアー板の室内側に向く面にはドアースコープの取り付け位置においてベースプレートが取り付けられ、また前記ベースプレートには上下動可能に係合する蓋体が取り付けられ、蓋体が下降した状態においてドアースコープの覗き孔は蓋体により室内側で閉じられるようにしたものが知られている。
【０００３】
そして、このようなドアースコープの取り付け部構造であれば、覗き孔は普段は下降した状態にある蓋体により室内側で閉じられており、覗き孔よりダブルドアーの外側を確認する場合はベースプレートに対して蓋体を持ち上げて覗き孔を開いた状態にすることによりダブルドアーの外側を確認することができる。また、ドアースコープの覗き孔は普段は下降した状態にある蓋体により室内側で閉じられているので、室外側から故意に覗こうとしても内部が見えることがない。
【先行技術文献】
【特許文献】
【０００４】
【特許文献１】特開２００９−５２３５９号公報
【考案の概要】
【考案が解決しようとする課題】
【０００５】
しかしながら、上記特許文献１に記載のドアースコープの取り付け部構造は、ベースプレートに蓋体を上下動可能に係合させて取り付けており、蓋体取り付けのためのベースプレートが必要となり、またこのベースプレートに蓋体を係合させる組み立て作業が必要となり、コストアップになるという問題がある。
【０００６】
本考案の目的は、このような課題を解決するものであり、蓋体取り付け用のベースプレートが不要で、且つベースプレートに蓋体を係合させる組み立て作業も不要となり、ドアースコープの取り付け部において室外側から故意に覗こうとしても内部が見えないようにするドアースコープ用カバーを安価に提供することにある。
【課題を解決するための手段】
【０００７】
本考案の請求項１に記載のドアースコープ用カバーは、鉄などの磁性金属から作られた室内側ドアー板と鉄などの磁性金属から作られた室外側ドアー板とを備えてなるダブルドアーを厚み方向に貫通するようにダブルドアーに取り付けられたドアースコープの室内側に向く一端の覗き孔を覆うドアースコープ用カバーであって、カバー体は不透明な材料で作られ、筒状の胴部と、この胴部の軸芯方向一端を閉じる板部とを備え、このカバー体にマグネットを備えてカバー体の軸芯方向他端側先端に磁力を発生させるように構成したことを特徴とする。
【０００８】
請求項２に記載のドアースコープ用カバーは、カバー体は鉄などの磁性金属から作られ、カバー体の内部には胴部の軸芯方向一端を閉じる板部に当接するようにマグネットが設けられていることを特徴とする。
【０００９】
請求項３に記載のドアースコープ用カバーは、カバー体の胴部の軸芯方向他端側先端にはリング状のマグネットを接着して取り付けていることを特徴とする。
請求項４に記載のドアースコープ用カバーは、鉄などの磁性金属から作られた室内側ドアー板と鉄などの磁性金属から作られた室外側ドアー板とを備えてなるダブルドアーを厚み方向に貫通するようにダブルドアーに取り付けられたドアースコープの室内側に向く一端の覗き孔を覆うドアースコープ用カバーであって、カバー体は不透明な材料で作られ、一方の面の一箇所に凹部が形成され、一方の面の他の箇所にマグネットが装着されていることを特徴とする。
【００１０】
請求項５に記載のドアースコープ用カバーは、鉄などの磁性金属から作られた室内側ドアー板と鉄などの磁性金属から作られた室外側ドアー板とを備えてなるダブルドアーを厚み方向に貫通するようにダブルドアーに取り付けられたドアースコープの室内側に向く一端の覗き孔を塞ぐドアースコープ用カバーであって、カバー体は不透明な材料で作られ、一方の面の一箇所にカバー板部が形成され、一方の面の他の箇所にマグネットが装着されていることを特徴とする。
【考案の効果】
【００１１】
以上のように、本考案のドアースコープ用カバーは、カバーの軸芯方向他端側先端に発生する磁力によりカバーを室内側ドアー板に吸着させてドアースコープの室内側に向く一端の覗き孔を覆うように構成されているので、前記従来例のようなカバー取り付け用のベースプレートが不要で、且つベースプレートにカバーを係合させる組み立て作業も不要となり、ドアースコープの取り付け部において室外側から故意に覗こうとしても内部が見えないようにするドアースコープ用カバーを安価に提供することができる。また、本考案のドアースコープ用カバーは、カバーの一方の面の一箇所に凹部が形成され、一方の面の他の箇所にマグネットが装着されており、またカバーの一方の面の一箇所にカバー板部が形成され、一方の面の他の箇所にマグネットが装着されていることによっても、前記従来例のようなカバー取り付け用のベースプレートが不要で、且つベースプレートにカバーを係合させる組み立て作業も不要となり、ドアースコープの取り付け部において室外側から故意に覗こうとしても内部が見えないようにするドアースコープ用カバーを安価に提供することができる。
【図面の簡単な説明】
【００１２】
【図１】本考案の第１の実施の形態におけるドアースコープ用カバーと覗き孔との関係を示す斜視図である。
【図２】同ドアースコープ用カバーで覗き孔を覆った状態を示す断面図である。
【図３】本考案の第２の実施の形態におけるドアースコープ用カバーの斜視図である。
【図４】同ドアースコープ用カバーで覗き孔を覆った状態を示す断面図である。
【図５】本考案の第３の実施の形態におけるドアースコープ用カバーの斜視図である。
【図６】同ドアースコープ用カバーで覗き孔を覆った状態を示す断面図である。
【図７】本考案の第４の実施の形態におけるドアースコープ用カバーの斜視図である。
【図８】同ドアースコープ用カバーで覗き孔を覆った状態を示す断面図である。
【考案を実施するための形態】
【００１３】
以下、本考案の実施の形態を、図面に基づき説明する。
先ず、図１〜図２に示す第１の実施の形態について説明すると、１は鉄などの磁性金属から作られた室内側ドアー板２と鉄などの磁性金属から作られた室外側ドアー板３とを備えてなるダブルドアー４を厚み方向に貫通するようにダブルドアー４に取り付けられるドアースコープで、このドアースコープ１の室内側に向く一端と室外側に向く他端との間で内部が筒状となっており、内部にはドアースコープとして必要な複数のレンズが設けられている。
【００１４】
前記ドアースコープ１の室内側に向く一端は覗き孔５となり、ドアースコープ１の覗き孔５を覗かないときに覗き孔５を覆うためにカバー６が設けられる。カバー６の本体部となるカバー体７は鉄などの磁性金属から作られ、軸芯方向の長さが短い筒状の胴部７ａと、この胴部７ａの軸芯方向一端を閉じる板部７ｂとからなり、このカバー体７の内部には前記板部７ｂに当接するようにマグネット８が設けられ、このマグネット８によりカバー体７の軸芯方向他端側先端に磁力を発生させるように構成されている。従って、カバー６の軸芯方向他端側先端の磁力によりカバー６はダブルドアー４の室内側ドアー板２に吸着した状態で保持される。
【００１５】
上記構成において、ドアースコープ１の覗き孔５を覗かないときは覗き孔５を覆うようにカバー６が室内側ドアー板２に吸着保持され、室外側からドアースコープ１の室外側に向く他端より故意に覗こうとしても内部が見えないようにすることができる。
【００１６】
来客などによりドアースコープ１の覗き孔５を覗く場合は、覗き孔５を覆っているカバー６を室内側ドアー板２より外し、カバー６を一時的にドアースコープ１から外れた位置で室内側ドアー板２に吸着させるようにしても良い。
【００１７】
次に、図３〜図４に示す第２の実施の形態について説明すると、前記第１の実施の形態ではカバー体７は鉄などの磁性金属から作られることが条件であるが、第２の実施の形態ではカバー体７は鉄などの磁性金属に限定されず、非磁性金属あるいは合成樹脂から作られていても良く、軸芯方向の長さが短い筒状の胴部７ａの軸芯方向他端側先端にはリング状のマグネット９を接着して取り付けている。この第２の実施の形態のようにカバー体７の胴部７ａの軸芯方向他端側先端に設けたマグネット９によりカバー６は室内側ドアー板２に吸着保持されることになる。
【００１８】
次に、図５〜図６に示す第３の実施の形態について説明すると、この第３の実施の形態のカバー体７は正面形状が瓢箪型で、鉄などの磁性金属あるいは非磁性金属あるいは合成樹脂から作られていて、一方の面の一箇所に凹部１０が形成され、一方の面の他の箇所にマグネット１１が装着されている。この第３の実施の形態によれば、カバー６は凹部１０で覗き孔５を覆った状態でカバー体７の一方の面に設けたマグネット１１により室内側ドアー板２に吸着保持されることになる。
【００１９】
さらに、図７〜図８に示す第４の実施の形態について説明すると、この第４の実施の形態のカバー体７は正面形状がほぼ長円型で、鉄などの磁性金属あるいは非磁性金属あるいは合成樹脂から作られていて、一方の面の一箇所にカバー板部１２が形成され、一方の面の他の箇所にマグネット１３が装着されている。この第４の実施の形態によれば、カバー６はカバー板部１２で覗き孔５を塞いだ状態でカバー体７の一方の面に設けたマグネット１３により室内側ドアー板２に吸着保持されることになる。
【００２０】
以上４つの実施の形態について述べたが、カバー体７は透明であると、ドアースコープ１の室外側に向く一端より故意に覗こうとした場合、室内側が見える可能性があるため、不透明であることが条件である。
【産業上の利用可能性】
【００２１】
本考案のドアースコープ用カバーは、マンションなどの集合住宅の鉄扉に取り付けられるドアースコープの室外側に向く端部より故意に覗こうとしても、室内側が見えないようにするためのドアースコープ用カバーである。
【符号の説明】
【００２２】
１      ドアースコープ
２      室内側ドアー板
３      室外側ドアー板
４      ダブルドアー
５      覗き孔
６      カバー
７      カバー体
７ａ    胴部
７ｂ    板部
８      マグネット
９      マグネット
１０      凹部
１１      マグネット
１２      カバー板部
１３      マグネット
【図１】
0003152243.tif 000003
【図２】
0003152243.tif 000004
【図３】
0003152243.tif 000005
【図４】
0003152243.tif 000006
【図５】
0003152243.tif 000007
【図６】
0003152243.tif 000008
【図７】
0003152243.tif 000009
【図８】
0003152243.tif 000010